(57)【要約】【課題】ピッキング等により、容易に開錠されない。【解決手段】鍵１２は、軸部から放射状に配置され、それぞれ厚みが異なる複数の挿入板３３を有する。シリンダー１４は、挿入板３３の厚みに整合するように、放射状に設けられた、それぞれの幅が異なる複数の鍵孔を形成する。シリンダープラグ３８内には、挿入された鍵の鍵山と整合するように、放射状に配置された、鍵孔の幅と同じ内径を有する複数のピン４６、ピンと連なるドライバーピン４８、ならびに、ピンおよびドライバーピンを中心方向に突出させるよう付勢するばね５０を有する。鍵の挿入板を、シリンダーの幅の異なる鍵孔に整合させて挿入することにより、ピンが、ドライバーピンを押すことによりばねを圧縮し、ピンとドライバーピンとの接続部がシリンダープラグのシアラインと一致することにより、当該シリンダープラグが回転されて、開錠する。【選択図】    図１
2004308309.tif 000002
【特許請求の範囲】
【請求項１】
軸部の外周面に軸線に沿って形成され、それぞれに複数の鍵山が形成された挿入板を有する鍵と、前記差し込み板に対応する形状の鍵孔が設けられ、かつ、回動可能なシリンダープラグを有するシリンダーと、前記シリンダーが取り付けられる矩形状のキーボックスであって、シリンダープラグの回転に伴って、１以上の施錠部を作動させる機構を有するキーボックスとを備えたシリンダー錠であって、
前記鍵が、前記軸部から放射状に配置され、それぞれ厚みが異なる複数の挿入板を有し、
前記シリンダーが、前記挿入板の厚みに整合するように、放射状に設けられた、それぞれの幅が異なる複数の鍵孔を形成するとともに、前記シリンダープラグ内に、挿入された鍵の鍵山と整合するように、放射状に配置された、当該鍵孔の幅と同じ内径を有する複数のピン、当該ピンと連なるドライバーピン、ならびに、前記ピンおよびドライバーピンを中心方向に突出させるよう付勢するばねを有し、
前記鍵の厚みの異なる挿入板を、前記シリンダーの幅の異なる鍵孔に整合させて挿入することにより、前記ピンが、ドライバーピンを押すことによりばねを圧縮し、前記ピンとドライバーピンとの接続部が前記シリンダープラグのシアラインと一致することにより、当該シリンダープラグが回転され、前記施錠部を作動させて開錠するように構成されたことを特徴とするシリンダー錠。
【請求項２】
前記鍵孔が形成される面と反対側の面に、前記シリンダープラグの端部と連結された、前記シリンダーと同軸のドアノブを有することを特徴とする請求項１に記載のシリンダー錠。
【請求項３】
前記鍵を挿入した状態で回転、または、前記ノブを回転することにより、前記施錠部が作動されて開錠することを特徴とする請求項２に記載のシリンダー錠。
【請求項４】
前記キーボックスに前記施錠部の作動を規制し、施錠状態および開錠状態のいずれかに維持するための維持機構が設けられ、かつ、前記キーボックスのドアノブが配置された面に、前記維持機構を作動させる作動部材が設けられたことを特徴とする請求項１ないし３の何れか一項に記載にシリンダー錠。
【請求項５】
前記キーボックスに、ドア枠の側面を施錠するための第１の施錠部が設けられ、当該第１の施錠部が、
１以上のデッドボルトと、
前記デットボルトを取り付けるとともに、前記シリンダープラグの回転に伴って、前記デッドボルトを前進或いは後退させるデッドボルト取り付け部材と、
前記デッドボルト取り付け部材に固定され、当該デッドボルトの前進或いは後退に伴って摺動する摺動板であって、前記作動部材を構成する押しボタンの先端を収容する複数の孔部を備えた摺動板とを有し、
前記複数の孔部が、前記デッドボルトが前進し、第１の施錠部が施錠状態であるときに、前記押しボタンの先端を受け入れる第１の孔部と、前記デッドボルトが後退し、第１の施錠部が開錠状態であるときに、前記押しボタンの先端を受け入れる第２の孔部とを有することを特徴とする請求項４に記載のシリンダー錠。
【請求項６】
さらに、ドア枠の上面および／または下面を施錠するための第２の施錠部および／または第３の施錠部が設けられ、
前記キーボックスに、前記シリンダープラグの回転を、前記第２の施錠部および／または第３の施錠部に伝達する伝達部材が設けられたことを特徴とする請求項５に記載のシリンダー錠。
【請求項７】
前記第１の施錠部が、
前記摺動板に形成された、開錠状態を維持するために、当該摺動板の位置を固定する係止部材と、
前記係止部材による摺動板の固定を解除するためのラッチボルトとを有し、当該ラッチボルトが、前記ドア枠に設けられた受け座のアーマープレートに当接して、後退することにより、前記係止部材による摺動板の固定が解除され、これに伴って、開錠状態が解除されることを特徴とする請求項５に記載のシリンダー錠。
【発明の詳細な説明】
【０００１】
【発明の属する技術分野】
本発明は、ドア等に用いられるシリンダー錠に関する。
【０００２】
【従来の技術】
従来、ドア等に用いられ使用されるシリンダー錠においては、シリンダー内に設けられたシリンダープラグの嵌合面をシアラインとし、当該シリンダープラグに鍵の基準面からのピッチに合わせて設定したピン孔を設け、それぞれのピン孔にピンと、ピンをコイルばねにより鍵孔側に付勢するドライバーピンとが挿入されている。鍵孔より挿入された鍵の軸線に沿った挿入板に形成された鍵山の高さにより、それぞれのピン孔に挿入されているピンを、シアラインに一致させることによりシリンダープラグが回転して施錠、および、開錠できるように構成されている。
【０００３】
たとえば、特許文献１に提案されたシリンダー錠においては、鍵の谷部側面に形成した所定角度により、シリンダー錠のピンを回転作動してシリンダープラグのロック状態を解除できるように構成されている。このような構成により、合鍵作りが困難になるとともに、ピッキングによって容易に開錠されなくなり、さらに、鍵の組合せが増加して複雑になり盗難を防止できる。
【０００４】
また、特許文献２に提案されたシリンダー錠においては、鍵挿入孔が相互に交わった状態で複数形成されるとともに、鍵の挿入部は、各鍵挿入孔に挿入されるように複数設けられるように構成されている。このような構成により、ピッキングにより開錠する際の作業数を増やすことができ、さらに、ピッキングに要する時間を大幅に長くすることができる。
【特許文献１】
特開平８−２８４４９９号公報
【０００５】
【特許文献２】
特開２００３−３５０５７号公報
【０００６】
【発明が解決しようとする課題】
しかしながら、上記特許文献１に記載されたようなシリンダー錠においては、シリンダープラグ内のピンが同一線上にあるため、ピッキング道具を使用し、シリンダープラグに回転力を与えながらピンを押し込み、ピンとドライバーピンとの接触面をシアライン面に一致させれば、容易に、短時間に開錠されてしまう問題があった。
【０００７】
また、上記特許文献２に記載されたようなシリンダー錠においては、複数の鍵挿入孔が同一厚みであるため、同一のピッキング道具を複数使用することにより、シリンダープラグに回転力を与えながらピンを押し込み、ピンとドライバーピンとの接触面をシアライン面に一致させることにより開錠されてしまう問題があった。
【０００８】
本発明は、ピッキング等により、容易に開錠されないシリンダー錠を提供することを目的とする。
【０００９】
【課題を解決するための手段】
本発明の目的は、軸部の外周面に軸線に沿って形成され、それぞれに複数の鍵山が形成された挿入板を有する鍵と、前記差し込み板に対応する形状の鍵孔が設けられ、かつ、回動可能なシリンダープラグを有するシリンダーと、前記シリンダーが取り付けられる矩形状のキーボックスであって、シリンダープラグの回転に伴って、１以上の施錠部を作動させる機構を有するキーボックスとを備えたシリンダー錠であって、前記鍵が、前記軸部から放射状に配置され、それぞれ厚みが異なる複数の挿入板を有し、前記シリンダーが、前記挿入板の厚みに整合するように、放射状に設けられた、それぞれの幅が異なる複数の鍵孔を形成するとともに、前記シリンダープラグ内に、挿入された鍵の鍵山と整合するように、放射状に配置された、当該鍵孔の幅と同じ内径を有する複数のピン、当該ピンと連なるドライバーピン、ならびに、前記ピンおよびドライバーピンを中心方向に突出させるよう付勢するばねを有し、前記鍵の厚みの異なる挿入板を、前記シリンダーの幅の異なる鍵孔に整合させて挿入することにより、前記ピンが、ドライバーピンを押すことによりばねを圧縮し、前記ピンとドライバーピンとの接続部が前記シリンダープラグのシアラインと一致することにより、当該シリンダープラグが回転され、前記施錠部を作動させて開錠するように構成されたことを特徴とするシリンダー錠により達成される。
【００１０】
好ましい実施態様においては、前記鍵孔が形成される面と反対側の面に、前記シリンダープラグの端部と連結された、前記シリンダーと同軸のドアノブを有する。
より好ましい実施態様においては、前記鍵を挿入した状態で回転、または、前記ノブを回転することにより、前記施錠部が作動されて開錠するように構成されている。
【００１１】
別の好ましい実施態様においては、前記キーボックスに前記施錠部の作動を規制し、施錠状態および開錠状態のいずれかに維持するための維持機構が設けられ、かつ、前記キーボックスのドアノブが配置された面に、前記維持機構を作動させる作動部材が設けられている。
【００１２】
さらに、好ましい実施態様においては、前記キーボックスに、ドア枠の側面を施錠するための第１の施錠部が設けられ、当該第１の施錠部が、１以上のデッドボルトと、前記デットボルトを取り付けるとともに、前記シリンダープラグの回転に伴って、前記デッドボルトを前進或いは後退させるデッドボルト取り付け部材と、前記デッドボルト取り付け部材に固定され、当該デッドボルトの前進或いは後退に伴って摺動する摺動板であって、前記作動部材を構成する押しボタンの先端を収容する複数の孔部を備えた摺動板とを有し、前記複数の孔部が、前記デッドボルトが前進し、第１の施錠部が施錠状態であるときに、前記押しボタンの先端を受け入れる第１の孔部と、前記デッドボルトが後退し、第１の施錠部が開錠状態であるときに、前記押しボタンの先端を受け入れる第２の孔部とを有する。
また、別の好ましい実施態様においては、さらに、ドア枠の上面および／または下面を施錠するための第２の施錠部および／または第３の施錠部が設けられ、前記キーボックスに、前記シリンダープラグの回転を、前記第２の施錠部および／または第３の施錠部に伝達する伝達部材が設けられている。
【００１３】
より好ましくは、前記第１の施錠部が、前記摺動板に形成された、開錠状態を維持するために、当該摺動板の位置を固定する係止部材と、前記係止部材による摺動板の固定を解除するためのラッチボルトとを有し、当該ラッチボルトが、前記ドア枠に設けられた受け座のアーマープレートに当接して、後退することにより、前記係止部材による摺動板の固定が解除され、これに伴って、開錠状態が解除される。
【００１４】
【発明の実施の形態】
以下、添付図面を参照して、本発明の実施の形態につき説明を加える。図１は、本発明の実施の形態にかかるシリンダー錠１０の使用状態を示す全体斜視図である。
【００１５】
図１に示すように、本実施の形態にかかるシリンダー錠１０は、鍵１２と、鍵１２が挿入されるシリンダー１４と、キーボックス１６とを有している。本実施の形態において、シリンダー１４は、後述するステンレス材料にて製作されたオートロック式のキーボックス１６に取り付けられている。キーボックス１６は、ドア１８に取り付けられている。
【００１６】
キーボックス１６の一側面には、第１施錠部２０が設けられており、ドア枠２６の側面に設けられている受け座２８に、第１施錠部２０を挿入することにより施錠することができる。また、キーボックスの上面および下面には、それぞれ、後述する第２施錠部２２と、第３施錠部２４とを移動させるためのスライド部材６２が設けられており、ドア枠２６の上下面に設けられている受け座２８に、スライド部材６２とそれぞれ連結された第２施錠部２２、および、第３施錠部２４を、それぞれスライドさせることにより、ドアの上面および下面を施錠することができる。
なお、本実施の形態において、ドア１８は、左勝手扉を示しているが、右勝手扉でも使用可能である。
【００１７】
図２は、本実施の形態にかかる鍵１２を示す図であり、図２（ａ）は、斜視図、図２（ｂ）は、鍵を挿入側から見た図である。図２を参照して、鍵１２を詳細に説明する。
【００１８】
図２に示すように、鍵１２は、ステンレス材料にて製作され、使用者が指にて把持する把持部３０と、把持部３０の中央からに伸びる円柱状の軸部３２と、軸部３２の軸線に沿って、それぞれ、所定の形状の鍵山（たとえば、符号３４ａ〜３４ｄ参照）が形成された、複数の挿入板３３とを有する。本実施の形態において、４つの挿入板３３は、軸部３２の外周面上、その軸線に沿って、９０°間隔で放射状に設けられている。図２（ｂ）に示すように、挿入板３３は異なる厚みを有する。また、それぞれの挿入板には、所定の鍵山（たとえば、３４ａ〜３４ｄ）が設けられている。なお、本実施の形態において挿入板３３の厚みは、（鍵山３４ａが形成されたもの）＞（鍵山３４ｂが形成されたもの）＞（鍵山３４ｃが形成されたもの）＞（鍵山３４ｄが形成されたもの）の順になっている。
【００１９】
図３は、シリンダー１４を示す図であり、図３（ａ）は、正面図、図３（ｂ）は、図３（ａ）のＡ−Ａ線断面図である。図３を参照して、シリンダー１４を詳細に説明する。
【００２０】
図３に示すように、シリンダー１４は、ステンレス材料にて製作されている外筒３６と、シリンダープラグ３８と、シリンダープラグ３８の軸線に対してそれぞれ放射状に配置されるピン４６と、ピン４６と連なるドライバーピン４８と、ピンおよびドライバーピン４８を、前記軸方向に付勢するコイルばね５０とを有している。
【００２１】
外筒３６には、図３（ｂ）に示すように、中空であり、その空間４０に、シリンダープラグ３８が配置される。また、外筒３６の内周面には、軸線に沿って、ピン４６と、ドライバーピン４８とを付勢するためのコイルばね５０を収容するためのばね孔５２とが設けられている。
【００２２】
シリンダープラグ３８は、正面側に鍵１２の挿入される鍵孔４２を有し、背面側に、後述するキーボックス１６の背面側に設けられたノブと連動して回転するための連結回転軸７４と接続される接続部４４を有する。また、接続部４４の外周面には、軸線に沿って、前記ばね孔５２と整合するように、ピン４６およびドライバーピン４８を収容するためのピン孔５４を有している。なお、本実施の形態において、鍵孔４２の幅は、挿入板３３の厚みと整合するように、（鍵穴４２ａの幅）＞（鍵穴４２ｂの幅）＞（鍵穴４２ｃの幅）＞（鍵穴４２ｄの幅）の順になっている。
【００２３】
外筒３６のバネ孔４２、および、シリンダープラグ３８のピン孔５４は、鍵孔４２ａ〜４２ｄの厚みと同じ径を有し、また、ばね孔４２とピン孔５４に挿入されるピン４６、ドライバーピン４８およびコイルばね５０も同じ径を有している。なお、本実施の形態において、ピン４６、ドライバーピン４８およびコイルばね５０は、図３（ｂ）に示すように、所定の位置に２本ずつ配置されている。
【００２４】
図４は、シリンダー錠１０の鍵１２を挿入した状態を示す図であり、図４（ａ）は、斜視図、図４（ｂ）は、図４（ａ）のＢ−Ｂ線断面図である。図４を参照して、シリンダー錠１０の鍵１２を挿入した状態を詳細に説明する。
【００２５】
図４（ａ）に示すように、使用者により、鍵１２の軸部３２が、シリンダー１４の鍵孔４２に挿入される。本実施の形態において、鍵山３４ａ〜３４ｄが形成された挿入板３３、および、鍵孔４２ａ〜４２ｄは、それぞれ、異なる厚みおよび異なる幅を有するので、対応する位置に鍵１２を合わせなければ、鍵１２をシリンダー１４に挿入することができない。
【００２６】
図４（ｂ）に示すように、鍵１２が所定位置まで挿入されると、この実施の形態では、たとえば、鍵１２の鍵山３４ａおよび３４ｂが、ピン４６ａおよび４６ｂを、それぞれ押し上げる。ピン４６ａおよび４６ｂが、鍵山３４ａおよび３４ｂにより、それぞれ押し上げられることにより、コイルばね５０ａおよび５０ｂが、ドライバーピン４８ａおよび４８ｂにより、それぞれ押し上げられ縮む。コイルばね５０ａおよび５０ｂが縮むことにより、ピン４６ａおよび４６ｂと、ドライバーピン４８ａおよび４８ｂとの接触部が、シアライン５６上に配置されることにより、シリンダープラグ３８は、回転自在になり、開錠が可能な状態となる。他の向きの挿入板に形成された鍵山についても、上記鍵山３４ａ、３４ｂと同時に、同様の動作（ピンの押し上げや、接触部のシアライン上の配置）がなされる。
【００２７】
次に、図１、キーボックス１６の背面側斜視図である図５、キーボックス１６の施錠状態を示す概略断面図である図６、および、キーボックス１６の側面側概略断面図である図７を参照して、キーボックス１６の構成を詳細に説明する。
【００２８】
図１、図５、図６、および、図７に示すように、キーボックス１６は、ステンレス材料にて製作され、直方体形状をなし、ドア１８に取り付けられる。図５には現れていないが、キーボックス１６の正面側には、シリンダー１４が取り付けられている。本実施の形態において、シリンダー１４の、シリンダープラグ３８の背面側に設けられた接続部４４が、後述する回転板７６の中央部に突出したノブ５８と連結された連結回転軸７４の連結面７５に接続される。
【００２９】
キーボックス１６の背面側には、利用者が手で把持するステンレス製のノブ５８が取り付けられている。ノブ５８は、シリンダープラグ３８の接続部４４と接続される連結回転軸７４と、取り付けネジ６０とにより、シリンダープラグ３８に取り付けられる。これによりシリンダープラグ３８およびノブ５８は、同軸線上でともに回転可能となる。本実施に形態において、ノブ５８は、ノブ５８内の連結回転軸７４に取り付けられた、ねじりコイルばね７７により、常に、施錠状態に付勢されている（図５に矢印ｂに示す方向）。
【００３０】
また、キーボックス１６の背面側には、後述する第１施錠部２０、第２施錠部２２、および、第３施錠部２４の移動を規制し、施錠状態、または、開錠状態を維持させるためのロックボタン７０が設けられている。
【００３１】
次に、キーボックス１６の動作機構を詳細に説明する。本実施の形態において、図５、図６、および、図７は、施錠状態を、それぞれ示している。
図５、図６、および、図７に示すように、本実施の形態にかかるキーボックス１６においては、シリンダー１４およびノブ５８が、シリンダー１４の接続部４４と連結される回転板７６の中央に突出された連結回転軸７４の連結面７５でしっかりと接続されることにより、同軸線上にて回転自在に構成されている。これにより、使用者が、鍵１２を鍵孔４２に挿入し開錠方向（図１に矢印ａで示す方向）に回転すると、ノブ５８も同方向に回転される。
【００３２】
回転板７６においては、側部の一方、上側および下側に、それぞれ回転軸８２が取り付けられる。側部の回転軸８２には、第１施錠部２０を作動させるための第１伝達板７８が回動自在に取り付けられている。上下の回転軸８２、８２には、第２施錠部２２、および、第３施錠部２４を、スライド部材６２を介してそれぞれ作動させるための第２伝達板８０、８０が回転自在に、それぞれ取り付けられている。また、第１伝達板７８の他端は、第１施錠部２０の取り付け部７２に、回転軸８２により回転自在に取り付けられている。
【００３３】
次に、第１施錠部、第２施錠部、および、第３施錠部を詳細に説明する。なお、第２施錠部２２、および、第３施錠部２４は、同一構造を有しているので、同一部分には第２施錠部２２のみ説明し、第３施錠部２４の説明は省略する。
【００３４】
第１施錠部２０においては、断面形状がＬ字形状の取り付け部７２の一面に、ラッチ付きデットボルト６４と、２つのデットボルト６６とが、直線上に並んで配置されている。円筒状のデットボルト６４の中空部分にはラッチボルト６８が配置されている。また、取り付け部７２の他端には、摺動板８４が取り付けられており、摺動板８４に設けられた細長い摺動孔８６が、キーボックス１６に取り付けられた固定軸８８に沿って移動可能に設けられている。なお、デットボルト６４、６６およびラッチボルト６８の移動方向と、摺動板８４の摺動方向とは同一である。
【００３５】
ラッチボルト６８は、当該ラッチボルト６８の移動方向の先端部に突出する当接部６９を有しており、ラッチボルト後端と取り付け部７２との間の空間に圧縮コイルばね７１を配置して、ラッチ付きデットボルト６４の内部に挿入されている。したがって、ラッチボルト６８は、デットボルト６４の移動とともに移動する一方、ラッチボルトのみが、デットボルト６４の内部に入り込むように移動することもできる。
【００３６】
次に、第２施錠部２２においては、第１施錠部２０と同様に、壇面形状がＬ字形状の取り付け部７２の一面に、３つのデットボルト６６が直線状に並んで配置されている。また、取り付け部７２の他端には、第２伝達板８０と接続されたスライド部材６２が取り付けられている。第２施錠部２２は、スライド部材６２により、使用者による施錠或いは開錠に伴って、第１施錠部２０と同期して作動する。
【００３７】
次に、図１、図６、キーボックス１６の開錠状態を示す概略断面図である図８、および、キーボックス１６のロック解除状態を示す概略断面図である図９を参照して、シリンダー錠１０の使用状態を詳細に説明する。
図１、および、図６に示すように、使用者は、鍵１２をシリンダー１４のシリンダープラグ３８に設けられた鍵孔４２に、鍵１２の挿入板３３の厚みを、鍵穴４２の幅に合わせて挿入する。図４（ｂ）に示すように、使用者により挿入された鍵１２の鍵山３４によりピン４６が押し上げられ、シアライン５６上に配置されるので、回転自在になり、開錠可能となる。
【００３８】
使用者が、鍵１２を開錠方向（図１に矢印ａで示す方向）回転させると回転板７６が連結回転軸７４を中心に約９０°回転する（図６に矢印ｃで示す方向）。
【００３９】
回転板７６が回転されると、図８に示すように、第１伝達板７８が、回転軸８２を支点に移動される。次いで、第１施錠部２０の取り付け部７２も回転軸８２に回動自在に取り付けられた第１伝達板７８の移動に伴って移動し、これにより、第１施錠部２０が開錠位置に移動される。本実施において、第１施錠部２０の取り付け部７２に取り付けられた摺動板８４に設けられた摺動孔８６が、キーボックス１６に取り付けられた固定軸８８に沿って並行移動するため、第１施錠部２０は、水平方向に摺動して開錠位置に移動される。
【００４０】
次いで、第１施錠部２０が開錠位置に達すると、係止部材９４の係止爪９５が、摺動板８４の係止溝８５に嵌合して、摺動板８４を係止することにより、第１施錠部２０が固定される。つまり、その動きが規制される。なお、本実施の形態において、係止部材９４は、ねじりコイルばね（図示せず）により、常に下方（図６に矢印ｄで示す方向）に付勢されている。
【００４１】
また、第２施錠部２２、および、第３施錠部２４においても、回転板７６の回転に伴って、第２伝達板８０が回転軸８２を支点に移動し、スライド部材６２を移動させる。ここでは、上側のスライド部材６２は下方に移動され、その一方、下側のスライド部材６２は上方に移動される。これにより、第２施錠部２２は垂直方向下方に移動され、かつ、第３施錠部２４は垂直方向上方に移動され、それぞれ開錠位置に達する。これにより使用者は、ドア１８を開くことが可能となる。
【００４２】
なお、第１施錠部２０において、係止溝８５に係止部材９４の係止爪９５が嵌合して、その動きが規制されている。このため、回転板７６の回転も規制され、それに伴って、開錠位置における第２施錠部２２および第３施錠部２４も、その動きが規制される。
【００４３】
次に、開かれたドア１８が閉じられるときに、第１施錠部２０のラッチボルト６８が、受け座２８のアーマープレート２９（図１参照）に当接し、図９に示すように、ラッチ付きデットボルト６４内を、水平方向内側に移動し、その先端に設けられた当接部６９が、係止部材９４の接触部９８を押し込む。
【００４４】
係止部材９４の当接部８６が当接部６９の移動に伴って押し込まれることにより、係止部材９４は、回転軸９６を支点に回転し（図９に矢印ｅで示す方向）、係止爪９５が摺動板８４の係止溝８５から外れる。これにより、摺動板８４が、位置を規制された状態から解除され、それに伴って、これに連結された第１施錠部２０、第１施錠部２０と、第１伝達版７８を介して連結された回転盤７６も、位置を規制された状態から解除される。
【００４５】
これにより、ノブ５８内に設けられた、ねじりコイルばね７７の復元力により、回転盤７６が図６に示す施錠位置に戻され、これに伴って、第１施錠部２０、第２施錠部２２および第３施錠部２５も施錠位置に戻されて、ドア１８は施錠される。
【００４６】
次に、図５、図６、図８、押しボタン７０の解放状態を示す図１０（ａ）、および、そのロック状態を示す図１０（ｂ）を参照して押しボタン７０の動作を詳細に説明する。
【００４７】
図５、および、図１０（ａ）に示すように、押しボタン７０は、キーボックス１６の背面に設けられ、圧縮コイルばね（図示せず）により、背面方向、つまり、押しボタン７０が突出する方向に付勢される。押しボタン７０の先端部は、施錠状態においては、摺動板８４に設けられた第１固定孔９０に整合し、押しボタン７０を押し込むことにより、第１固定孔７０に挿入される。第１ないし第３の施錠部２０〜２４が施錠状態であるときに、使用者は、キーボックス１６の背面側に設けられた押しボタン７０を、回しながら押し込むことにより、図１０（ｂ）に示すように、押しボタン７０に設けられた係止ピン１００が、解放位置１０２から、移動溝１０４に沿って移動し、ロック位置１０６に移動し固定され、かつ、押しボタン７０の先端部が、摺動板８４の第１固定孔９０に挿入される。これにより、鍵１２、および、ノブ５８を回転しても摺動板８４が固定されているので、ドア１８を開くことができなくなる。
【００４８】
また、押しボタン７０の先端部は、開錠状態においては、摺動板８４に追うけられた第２固定孔９２に整合するようになっている。したがって、図８に示すように、開錠状態においても同様に、使用者が押しボタン７０を回しながら押し込むことにより、摺動板８４に設けられた第２固定孔９２に、押しボタン７０を押し込むことにより、その先端部が、第２固定孔９２に挿入され、開錠状態を固定することもでき、鍵１２、および、ノブ５８を回転しても施錠することができなくすることができる。
【００４９】
このように、本実施の形態においては、鍵１２の、厚みの異なる複数の鍵山が形成された挿入板３３と、挿入板３３に整合する鍵孔４２を使用することにより、ピッキング等による開錠行為を防ぐことが可能となる。
【００５０】
また、本実施の形態においては、第１施錠部２０、第２施錠部２２、および、第３施錠部２４を３箇所設け、鍵１２、または、ノブ５８を回転することにより３箇所同時に施錠、および、開錠が可能となる。したがって、各箇所のデッドボルト６６を切断等して破壊することが困難となる。
【００５１】
さらに、本実施の形態においては、押しボタン７０により、開錠状態、および、施錠状態を固定できるので、施錠状態に固定しておくことにより、鍵１２によっても開錠が不可能となる。つまり、ドアの内側から、押しボタンの操作によってのみ解放可能な鍵をかけることができる。したがって、鍵１２の不正入手による開錠にも対応できる。
【００５２】
本発明は、以上の実施の形態に限定されることなく、特許請求の範囲に記載された発明の範囲内で、種々の変更が可能であり、それらも本発明の範囲内に包含されるものであることは言うまでもない。
【００５３】
たとえば、前記実施の形態においては、第１施錠部、第２施錠部、および、第３施錠部からなる施錠部を、ドアに三箇所設けたが、これに限定されるものではなく、使用者の必要とする数だけドアに設ければ良い。
【００５４】
また、前記実施の形態においては、鍵山が形成された挿入板を放射状に９０°間隔で４つ形成したが、これに限定されるものではなく、４つよりも多くても少なくても良い。
【００５５】
さらに、前記実施の形態においては、シリンダーのピンを２箇所設けたがこれに限定されるものではなく、２箇所より多くても少なくても良い。
なお、本明細書において、一つの手段の機能が、二つ以上の物理的手段により実現されても、若しくは、二つ以上の手段の機能が、一つの物理的手段により実現されてもよい。
【００５６】
【発明の効果】
本発明によれば、ピッキング等による不正開錠を防ぐことができ、かつ、頑丈な施錠をすることができるシリンダー錠を提供することが可能となる。
【図面の簡単な説明】
【図１】図１は、本発明の実施の形態にかかるシリンダー錠の使用状態を示す全体斜視図である。
【図２】図２は、本実施の形態にかかる鍵を示す図であり、図２（ａ）は、斜視図、図２（ｂ）は、鍵を挿入側から見た図である。
【図３】図３は、本実施の形態にかかるシリンダーを示す図であり、図３（ａ）は、正面図、図３（ｂ）は、図３（ａ）のＡ−Ａ線断面図である。
【図４】図４は、本実施の形態にかかるシリンダー錠の鍵挿入状態を示す図であり、図４（ａ）は、斜視図、図４（ｂ）は、図４（ａ）のＢ−Ｂ線断面図である。
【図５】図５は、本実施の形態にかかるキーボックスの背面側斜視図である。
【図６】図６は、本実施の形態にかかるキーボックスの施錠状態を示す概略断面図である。
【図７】図７は、本実施の形態にかかるキーボックスの側面側概略断面図である。
【図８】図８は、本実施の形態にかかるキーボックスの開錠状態を示す概略断面図である。
【図９】図９は、本実施の形態にかかるキーボックスのロック解除状態を示す概略断面図である。
【図１０】図１０は、本実施の形態にかかる押しボタンの動作を示す図であり、図１０（ａ）は、開錠状態、図１０（ｂ）は、施錠状態である。
【符号の説明】
１０    シリンダー錠
１２    鍵
１４    シリンダー
１６    キーボックス
１８    ドア
２０    第１施錠部
２２    第２施錠部
２４    第３施錠部
３０    把持部
３２    軸部
３３    挿入板
３４    鍵山
３８    シリンダープラグ
４２    鍵孔
４６    ピン
４８    ドライバーピン
５０    コイルばね
５２    ばね孔
５４    ピン孔
５６    シアライン
５８    ノブ
６２    スライド部材
６４    ラッチ付デッドボルト
６６    デットボルト
６８    ラッチボルト
７０    押しボタン
７４    連結回転板
７６    回転板
７８    第１伝達板
８０    第２伝達板
８４    摺動板
８５    係止溝
８６    摺動孔
９０    第１固定孔
９２    第２固定孔
９４    係止部材
９５    係止爪
【図１】
2004308309.tif 000003
【図２】
2004308309.tif 000004
【図３】
2004308309.tif 000005
【図４】
2004308309.tif 000006
【図５】
2004308309.tif 000007
【図６】
2004308309.tif 000008
【図７】
2004308309.tif 000009
【図８】
2004308309.tif 000010
【図９】
2004308309.tif 000011
【図１０】
2004308309.tif 000012